(57)【特許請求の範囲】
【請求項１】
パチンコ機列内に設置された台間玉貸機に投入された硬貨を、パチンコ機列の一端に設けられた両替機または紙幣用玉貸機に順次補給する硬貨自動補給装置において、
パチンコ機列内から搬送された硬貨を受取り、その硬貨を一時的に収容し、その後、硬貨排出口を通じて排出する硬貨一時保留部と、
所定の駆動手段と、投入された硬貨の量を検出する検出手段を有し、前記硬貨一時保留部の硬貨排出口位置と前記両替機または紙幣用玉貸機の補給用硬貨投入口位置の間を上下動可能に設けられた硬貨運搬用バケットとからなり、
前記硬貨運搬用バケット内に設けられた検出手段は、前記硬貨運搬用バケットの底部を貫通する所定長の被覆絶縁スリーブと、該スリーブ長以上の長さを有する導電棒からなり、バケット内に硬貨が滞留して、前記絶縁スリーブ長を越えた時に、硬貨を介して導通して所定の硬貨量を検出する検出手段であり、前記検出手段の検出結果により、前記硬貨一時保留部の底部の開閉可能なオープナープレートを閉状態として、パチンコ機列内から搬送された硬貨を硬貨収納金庫に収容するようにしたことを特徴とする定量硬貨自動補給装置。
【請求項２】
パチンコ機列内に設置された台間玉貸機に投入された硬貨を、パチンコ機列の一端に設けられた両替機または紙幣用玉貸機に順次補給する硬貨自動補給装置において、
パチンコ機列内から搬送された硬貨を受取り、その硬貨を一時的に収容し、その後、硬貨排出口を通じて排出する硬貨一時保留部と、
所定の駆動手段と、投入された硬貨の量を検出する検出手段を有し、前記硬貨一時保留部の硬貨排出口位置と前記両替機または紙幣用玉貸機の補給用硬貨投入口位置の間を上下動可能に設けられた硬貨運搬用バケットとからなり、
前記硬貨運搬用バケット内の検出手段は、導電物質で構成されたバケットの外部側壁と、このバケットが硬貨受取位置にあるときには、この外部側壁と接するように設けられたアースプレートを通じて、前記オープナープレートを開閉する検出信号を送出し、その検出結果により、前記硬貨一時保留部の底部の開閉可能なオープナープレートを閉状態として、パチンコ機列内から搬送された硬貨を硬貨収納金庫に収容するようにしたことを特徴とする定量硬貨自動補給装置。
【発明の詳細な説明】
【０００１】
【産業上の利用分野】
本発明は、パチンコホール等の遊技場において、パチンコ機列内に設置された台間玉貸機に投入された硬貨を搬送し、パチンコ機列の端部に設けられた両替機または紙幣玉貸機へ補給して両替用硬貨または釣銭用硬貨として使用する硬貨自動補給装置に関する。
【０００２】
【従来の技術】
従来、パチンコホール等の遊技場においてパチンコ機の間に、硬貨の投入によって貸し玉が放出される台間玉貸機が配置され、この台間玉貸機に投入された硬貨を搬送し、パチンコ機列の端部に設けられた両替機または紙幣用玉貸機へ補袷する装置には、例えば、特公平４ー１９８７４号公報に記載されているような装置が知られている。
図３、図４、図５において、従来の硬貨自動補袷装置の概略を説明する。
【０００３】
図３に示すように、複数のパチンコ機１が配置されたパチンコ機列２においては、各パチンコ機１の間には、硬貨の投入によって、貸し玉が放出される、台間玉貸機３が、それぞれ配置され、遊技者の便宜に供している。また、パチンコ機列２の内部下側には、パチンコ機１の並列方向に沿って、前記台間玉貸機３に投入された硬貨を、パチンコ機列２の端部に搬送するコンベア５と、これを駆動する電動機１８（図４）を備えた硬貨搬送装置４が設けられている。
【０００４】
そして、パチンコ機列２の端部には、両替機または紙幣の投入によって貸し玉と必要な釣銭硬貨を排出する紙幣用玉貸機７が配置され、前記パチンコ機列２の端末部から回収される硬貨を、これらの両替機または紙幣用玉貸機７に供給する硬貨自動補袷装置６が配置されている。
次に、この硬貨自動補給装置の詳細を図５を参照しながら説明する。
【０００５】
パチンコ機列２内の台間玉貸機３に投入された硬貨は、搬送装置４に設けられたコンベア５を介して、前記パチンコ機列２端部に配置された硬貨自動補給装置６へ搬送され、案内経路４５を経て、硬貨一時保留部２６に案内される。
そして、硬貨一時保留部２６には、硬貨の数量を検出する検出手段３６が、設けられ、硬貨一時保留部２６に保留される硬貨の量を管理している。すなわち、硬貨が、前記硬貨一時保留部２６に保留されると、導通部材３６ａと絶縁部材３６ｂで構成される前記検出手段３６は、導電性金属で構成された一時保留部２６の底壁５８と前記導電部材３６ａとの間に、硬貨が積み重なって保留されると、導電性の硬貨が積み重なって保留されることにより、電気的に導通されるので、その導通状態を検出する。
【０００６】
そして、その検出により、硬貨一時保留部２６の硬貨入口部にある硬貨案内弁１０が閉じられて、その後、過剰供袷される硬貨は、硬貨放出口１１から硬貨収容金庫１２に排出される。
また、前記硬貨一時保留部２６に、硬貨が保留されて、前記検出手段３６が、導通状態になると、前記硬貨案内弁１０を閉じると共に、常時は硬貨自動補給装置の上方に位置するバケット８が下降し、シャッター開閉レバー５５を押し下げ、シャッター開閉クランク５７で、前記開閉レバー５５と連結されたシャッター３５を開口させる。そして、前記硬貨一時保留部２６に収容された硬貨は、前記シャッター３５が開口することによってバケット８に投入される。
【０００７】
なお、バケット８は、該バケット８を回動可能に保持し、上部及び下部にそれぞれワイヤ１４が設けられたキャリッジ３８により、硬貨自動補給装置の上部及び下部に設けられたプーリ３３、３２および前記ワイヤ１４を介してモータ１３の動力が伝達され、この伝達力により、バケット８が上昇し、前記両替機または紙幣用玉貸機の補給用硬貨投入口まで運搬されるよう構成される。バケット８が、上昇すると、バケット８は、両替機または紙幣用玉貸機の補給用硬貨投入口位置で反転し、バケット８内の硬貨は、シュート１６に放出されて、硬貨は、シュート１６から両替機または紙幣用玉貸機７の硬貨ホッパー部１７に供給される。
【０００８】
【発明が解決しようとする課題】
しかしながら、上記のような従来の硬貨自動補袷装置では、硬貨量を検出する検出手段を硬貨一時保留部内に設けており、硬貨一時保留部に保留された数量の硬貨のみをバケットに投入して運搬するため、１回の硬貨運搬量は、硬貨一時保留部の硬貨収容能力にかかっており、また、硬貨一時保留部に投入される硬貨の方向、例えば、硬貨検出手段に設けられた面に沿って、硬貨が、並列して並んだ場合等は、所定量の硬貨数が、一時保留部２６の底壁５８と前記導電部材３６ａとの間に保留される前に、前記検出手段が、反応してしまい、バケットに投入される硬貨の数量が、極端に少なくなる等、バケッ卜が、一回に運搬する硬貨の数量に誤差が、その結果、効率が悪くなるという欠点があった。
本発明は、上述した問題点を解決するためになされたものであり、硬貨の運搬効率を上げ、その結果、硬貨自動補袷装置自体の耐久性を向上させることを目的とする。
【０００９】
【課題を解決するための手段】
この目的を達成するために、本願請求項１に係る発明は、定量硬貨自動補給装置において、パチンコ機列内に設置された台間玉貸機に投入された硬貨を、パチンコ機列の一端に設けられた両替機または紙幣用玉貸機に順次補給する硬貨自動補給装置において、パチンコ機列内から搬送された硬貨を受取り、その硬貨を一時的に収容し、その後、硬貨排出口を通じて排出する硬貨一時保留部と、所定の駆動手段と、投入された硬貨の量を検出する検出手段を有し、前記硬貨一時保留部の硬貨排出口位置と前記両替機または紙幣用玉貸機の補給用硬貨投入口位置の間を上下動可能に設けられた硬貨運搬用バケットとからなり、前記硬貨運搬用バケット内に設けられた検出手段は、前記硬貨運搬用バケットの底部を貫通する所定長の被覆絶縁スリーブと、該スリーブ長以上の長さを有する導電棒からなり、バケット内に硬貨が滞留して、前記絶縁スリーブ長を越えた時に、硬貨を介して導通して所定の硬貨量を検出する検出手段の検出結果であり、前記検出手段により、前記硬貨一時保留部の底部の開閉可能なオープナープレートを閉状態として、パチンコ機列内から搬送された硬貨を硬貨収納金庫に収容するようにしたことを特徴とする。
【００１０】
さらに、本願請求項２に係る発明は、定量硬貨自動補給装置において、パチンコ機列内に設置された台間玉貸機に投入された硬貨を、パチンコ機列の一端に設けられた両替機または紙幣用玉貸機に順次補給する硬貨自動補給装置において、パチンコ機列内から搬送された硬貨を受取り、その硬貨を一時的に収容し、その後、硬貨排出口を通じて排出する硬貨一時保留部と、所定の駆動手段と、投入された硬貨の量を検出する検出手段を有し、前記硬貨一時保留部の硬貨排出口位置と前記両替機または紙幣用玉貸機の補給用硬貨投入口位置の間を上下動可能に設けられた硬貨運搬用バケットとからなり、前記硬貨運搬用バケット内の検出手段は、導電物質で構成されたバケットの外部側壁と、このバケットが硬貨受取位置にあるときには、この外部側壁と接するように設けられたアースプレートを通じて、前記オープナープレートを開閉する検出信号を送出し、その検出結果により、前記硬貨一時保留部の底部の開閉可能なオープナープレートを閉状態として、パチンコ機列内から搬送された硬貨を硬貨収納金庫に収容するようにしたことを特徴とする。
【００１２】
【作用】
上記の構成を有する本発明の定量硬貨自動補給装置では、硬貨一時保留部の下端位置に設定された硬貨受取位置において、硬貨運搬用バケット内の硬貨量を検出するため、硬貨運搬用バケットに、前記硬貨一時保留部に収容された硬貨とさらに追加補給される硬貨を、前記検出手段が検出するまで収容し、その場に滞留する硬貨の量を正確に補足するようにしたので、この滞留量で定まるバケットによる硬貨の一回の運搬量を正確にできることから、硬貨運搬用バケットの運搬回数を減らし効率の良い運転が行え、かつ、装置自体の耐久性を向上させた。
【００１３】
【実施例】
以下、本発明を具体化した一実施例を図面を参照して説明する。
図１は、本発明に係わる定量硬貨自動補袷装置の一実施例を示すものであり、従来技術と同一の部材には同一の符号を付し、その詳細な説明を省略する。
前記パチンコ機列２の末端部と両替機または紙幣用玉貸機７との間に配置される定量硬貨自動補給装置６には、電動機１３およびコンベア５を有する硬貨搬送装置によって、搬送された硬貨を受取り、定量の硬貨を仕分けする、硬貨仕分け部３０（図４、図１）が、設けられている。
【００１４】
そして、前記梗貨仕分け部３０内には、下端部が開閉可能なオープナープレート２１からなる硬貨一時保留部２６が設けられ、このオープナープレート２１は、ソレノイド２０の動きに準じて開閉可能に構成される。
さらに、前記硬貨仕分け部３０内には、過剰に投入された硬貨を放出する放出口１１が設けられている。
【００１５】
また、前記硬貨仕分け部３０によって、仕分けられた所定量の硬貨を搬送するためのバケット８には、底部に所定量の数の硬貨を検出するための検出手段９が、突入可能な穴に設けられている。また、バケット８が、硬貨受取位置にあるときには、その位置において、検出手段９とバケット８の導通を促すためのアースプレート２２が、バケット８の外部に接するように設けられている。
【００１６】
検出手段９は、導電棒９ａ、とプラスチック等からなる絶縁スリーブ９ｂで構成され、バケット８内に硬貨が滞留し、その積み重さなりによって、前記絶縁スリーブ９ｂが埋め尽くされ、導電棒９ａとバケット８が導通された時には、その発生タイミングを検出するよう構成される。
【００１７】
また、バケット８は、キャリッジ３８に軸３４で回動可能に保持されており、キャリッジ３８は案内板３７（図４）に沿って昇降が可能なように設けられている。
また、バケット８は、キャリッジ３８を昇降させるための手段であるワイヤー、ベルト等の動力伝達部材１４に連結され、この動力伝達部材１４には、定量硬貨自動補給装置６内の上下位置に設けられたプーリー３３、３２が配置され、該キャリッジ３８は、これらのプーリ３３、３２間に懸架され、かつ、該下部プーリー３２は電動機１３によって回転され、前記キャリッジ３８を駆動するよう構成される。
【００１８】
さらに、前記バケット８を反転させるための手段として、前記キャリッジ３８には、バケット反転アーム３９が設けられ、キャリッジ３８が上昇して反転始動位置に達すると、前記バケット反転アーム３９は、シュート１６端部の突起部  に係止され、これによって、バケット反転アーム３９は、反転軸３４を中心として回転し、これによってバケット８の内部に収容された硬貨を放出する。
また、このバケット８の反転位置には、放出された硬貨を両替機または紙幣用玉貸機に案内するためのホッパー１６が設けられている。
【００１９】
また、バケット８の昇降位置を検知するため、前記硬貨受取位置にはスイッチ１５が、前記硬貨放出位置にはスイッチ１９が、それぞれ設けられており、バケット８が、硬貨受取位置において、硬貨の受け取りが可能なときは、常に、スイッチ１５が付勢され、常時、硬貨の受け取りを揚送できる態勢になるよう構成されている。
次に定量硬貨自動補給装置の動作の詳細を、図２に示したフローチャートを参照しながら説明する。
【００２０】
前記、搬送装置４によって導かれた硬貨は、搬送装置４の端部にある硬貨投入ジャバラ２３を介して、硬貨仕分け部３０上端部にある硬貨投入口２４に投入され、投入された硬貨は、案内板１０に沿って硬貨投入経路２５を経て、硬貨一時保留部２６に導かれる。この時、オープナープレー卜２１が閉じた状態であれば、投入された硬貨は、オープナープレート２１のシャッター機構６１側に積み上がり、一定量保留される。
【００２１】
また、過剰に投入された硬貨は、オープナープレート２１のシャッター機構６１側に積み上がった硬貨に当たって、案内板６２の斜面に沿って硬貨放出口１１から放出される。この時、放出された硬貨は、定量硬貨自動補給装置６の端部に設置された両替機または紙幣用玉貸機７の内部下端に設けられた硬貨収容金庫１２に貯められる。
【００２２】
また、バケット８内に硬貨受取り可能と判断されると（Ｓ１：「ＹＥＳ」）、ソレノイド２０の吸引力によって閉じられた状態にあるオープナープレート２１は吸引が解かれ、引きバネ６３により軸４０を中心に反時計方向に回転され開かれる（Ｓ２）。そして、硬貨一時保留部２６に保留されていた硬貨は、硬貨案内経路３１を通ってバケット８内に導かれる。また、その後、硬貨投入口２４に投入される硬貨は、案内経路２５、３１を経て、バケット８内に導かれ、バケット８内に投入された硬貨は、検出手段９によって所定量数が検出され、所定量数の硬貨が検出されると（Ｓ３）、案内板１０は、ソレノイド２７によって閉じられ（Ｓ４）、バケッ卜８内への硬貨の流入が遮られる。
【００２３】
その後、硬貨投入口２４に投入される硬貨は、案内経路２８を通って、硬貨放出口１１から放出され、硬貨収納金庫１２に導かれる。
次に、ソレノイド２０の吸引によって連結されたオープナープレート２１は、軸４０を中心に、時計方向に回転し、閉じられ（Ｓ５）、案内板１０は、再び、ソレノイド２７によって、開かれて（Ｓ６）、硬貨投入口２４に投入される硬貨は、前記の硬貨の流れと同様に、硬貨投入経路２５を通って、硬貨一時保留部２６に保留される。
【００２４】
その後、前記両替機または紙幣用玉貸機７において、硬貨の補袷が必要となると（Ｓ７：「ＹＥＳ」）、電動機１３が駆動され、所定量の硬貨が貯まったバケット８を有するキャリッジ３８を上昇させて、所定の硬貨放出位置に達すると、スイッチ１９が作動して、電動機１３は停止する。この時、キャリッジ３８に取り付けられたバケット反転アーム３９は、ホッパー１６によって、軸５０を中心とする回転運動が与えられ、バケット８を反転方向に押すことによって、バケット８は、軸３４を中心に反転され、硬貨は、シュート１６から、両替機または紙幣用玉貸機７のホッパー部１７に供給される（Ｓ８）。
【００２５】
そして、バケット反転後所定の時間が経過すると、電動機１３が逆転駆動され、バケット８は、下降時に軸３４を中心に逆転し、下降する。そして、バケット８が、硬貨受取位置スイッチ１５の位置まで達すると、電動機１３は停止され、その後、再び、前記の硬貨投入手順に従って、バケット８内に硬貨が投入される。
【００２６】
以上、本発明の動作手順の一実施例を説明したが、この手順は、説明した実施例に何等限定されるものではなく、本発明の趣旨を逸脱しない範囲において種々の変更を加えることができる。例えば、本実施例では、パチンコ機列内における硬貨用玉貸機に投入された硬貨で説明したが、硬貨は、遊技場、パチンコホール等にて利用されるメダル等であってもよい。
【００２７】
【発明の効果】
以上、詳述したように、本発明の定量硬貨自動補給装置によれば、硬貨一時保留部の下端部位置に設定された硬貨受取位置において、硬貨を運搬するバケット内に定量硬貨数量を検出する検出手段を設けたことにより、バケット内に搬送された硬貨の量を正確に補捉し、この補捉結果により、バケットの運転を行うようにしたので、バケットは、空のまま搬送されることがなく、また、常に、所定の硬貨の保留量の検出でバケットが運転されるので、すなわち、バケットの一回の運搬量が正確に検出できることから、前記両替機または紙幣用玉貸機に補給できる硬貨数量が安定し、さらに運搬回数が減ることから効率の良い運転が実現され、耐久性が向上される効果がある。
【図面の簡単な説明】
【図１】図１は、本発明の硬貨自動補給装置の一実施例を示す縦断面図である。
【図２】図２は本発明の硬貨自動補給装置に関するソフトウエア構成を概略的に示すフローチャートである。
【図３】図３は、本発明の一実施例を示す遊技場における硬貨自動補給装置の設置概略図である。
【図４】図４は、本発明の一実施例を示す斜視図である。
【図５】図５は、従来の硬貨自動補給装置における縦断面図である。
【符号の説明】
８・・・バケット
９・・・検出スイッチ
１１・・・排出口
１２・・・硬貨収容金庫
１３・・・電動機
２１・・・オープナープレート
２４・・・梗貨投入ロ
２６・・・硬貨一時保留部
３９・・・バケット反転アーム
【図１】
0003938947.tif 000002
【図２】
0003938947.tif 000003
【図３】
0003938947.tif 000004
【図４】
0003938947.tif 000005
【図５】
0003938947.tif 000006